(57)【要約】【課題】最優先に指定されていないコンテンツの視聴機会を逸することをなくすこと。【解決手段】デジタル放送受信機（５）は、放送番組とデータ放送用のデータと放送マネージドアプリケーションを管理するアプリケーション制御情報とデータ放送又は放送マネージドアプリケーションの起動を最優先とする起動優先制御情報とを含む放送信号を受信する放送波受信部（１２）と、放送番組を出力する受信機用出力部（２０）と、外部端末（６）と端末連携を行なう端末連携制御部（３３）と、起動優先制御情報がデータ放送及び放送マネージドアプリケーションのうちの一方のコンテンツの起動を最優先としている場合、放送番組と共に一方のコンテンツを受信機用出力部（２０）に提示し、データ放送及び放送マネージドアプリケーションのうちの他方のコンテンツを端末連携により外部端末（６）に提示する受信機用制御部（３２）と、を具備する。【選択図】図１
2015046747.tif 000002
【特許請求の範囲】
【請求項１】
放送番組とデータ放送用のデータと放送マネージドアプリケーションを管理するアプリケーション制御情報と前記データ放送又は前記放送マネージドアプリケーションの起動を最優先とする起動優先制御情報とを含む放送信号を受信する放送波受信部と、
前記放送番組を出力する受信機用出力部と、
外部端末と端末連携を行なう端末連携制御部と、
前記起動優先制御情報が前記データ放送及び前記放送マネージドアプリケーションのうちの一方のコンテンツの起動を最優先としている場合、前記放送番組と共に前記一方のコンテンツを前記受信機用出力部に提示し、前記データ放送及び前記放送マネージドアプリケーションのうちの他方のコンテンツを端末連携により前記外部端末に提示する受信機用制御部と、
を具備することを特徴とするデジタル放送受信機。
【請求項２】
前記受信機用制御部は、前記起動優先制御情報が前記一方のコンテンツとして前記放送マネージドアプリケーションの起動を最優先としている場合、前記アプリケーション制御情報に基づいて前記放送マネージドアプリケーションを通信ネットワークにより取得して、前記放送番組と共に前記放送マネージドアプリケーションを前記受信機用出力部に提示し、前記他方のコンテンツとして前記データ放送用のデータを前記外部端末に転送する、
ことを特徴とする請求項１に記載のデジタル放送受信機。
【請求項３】
前記受信機用制御部は、前記起動優先制御情報が前記一方のコンテンツとして前記データ放送の起動を最優先としている場合、前記データ放送用のデータに基づいて、前記放送番組と共に前記データ放送を前記受信機用出力部に提示し、前記他方のコンテンツとして、前記アプリケーション制御情報に基づいて通信ネットワークにより取得される前記放送マネージドアプリケーション、又は、その所在を示す所在情報を前記外部端末に転送する、
ことを特徴とする請求項１に記載のデジタル放送受信機。
【請求項４】
前記受信機用制御部は、前記外部端末に前記他方のコンテンツを提示する機能が搭載されていない場合、前記他方のコンテンツの画面を構築して前記外部端末に転送する、
ことを特徴とする請求項２又は３に記載のデジタル放送受信機。
【請求項５】
請求項１から請求項４のいずれかに記載のデジタル放送受信機と、
前記デジタル放送受信機と端末連携を行なう外部端末と、
を具備することを特徴とする放送通信連携システム。
【発明の詳細な説明】
【技術分野】
【０００１】
本発明は、放送通信連携サービスを利用者に提供するデジタル放送受信機、及び、放送通信連携システムに関する。
【背景技術】
【０００２】
ＩＰ（Internet Protocol）を利用してデジタルテレビ放送を配信する技術（その技術をＩＰＴＶという）が開発されている。そのＩＰＴＶの規定として、放送通信連携システム（ハイブリッドキャスト方式）が策定されている（例えば非特許文献１）。この放送通信連携システムでは、デジタル放送受信機は、放送信号を放送波により受信して、放送信号に含まれる放送番組を出力すると共に、放送番組と連携するコンテンツであるデータ放送又は放送マネージドアプリケーションを、放送番組と同期して提示する。
【０００３】
放送通信連携システムでは、データ放送を優先して起動させるか、放送マネージドアプリケーションを優先して起動させるかは、放送信号に含まれる起動優先制御情報により決定される。この優先度は、ユーザが決定することはできない。
【先行技術文献】
【非特許文献】
【０００４】
【非特許文献１】ＩＰＴＶ規定  放送通信連携システム仕様  ＩＰＴＶＦＪ  ＳＴＤ−００１０  １．０版（２０１３年３月２２日１．０版策定）
【発明の概要】
【発明が解決しようとする課題】
【０００５】
ユーザは、放送番組によっては、放送マネージドアプリケーションよりもデータ放送に興味があることが想定される。しかし、放送マネージドアプリケーションの起動が最優先である場合、デジタル放送受信機は、その優先度に従って放送マネージドアプリケーションを提示する。その場合、ユーザにとってはデータ放送の視聴機会が奪われることになる。また、多くの放送番組において、放送マネージドアプリケーションをアピールするために、優先度を最優先にすることも想定される。
【０００６】
一方、データ放送の起動が最優先である場合でも、ユーザにとっては放送マネージドアプリケーションの視聴機会が奪われることになる。
【０００７】
本発明は、上記の点に鑑みてなされたものであり、最優先に指定されていないコンテンツの視聴機会を逸することをなくすことができるデジタル放送受信機、及び、放送通信連携システムを提供することを目的とする。
【課題を解決するための手段】
【０００８】
本発明のデジタル放送受信機は、放送番組とデータ放送用のデータと放送マネージドアプリケーションを管理するアプリケーション制御情報と前記データ放送又は前記放送マネージドアプリケーションの起動を最優先とする起動優先制御情報とを含む放送信号を受信する放送波受信部と、前記放送番組を出力する受信機用出力部と、外部端末と端末連携を行なう端末連携制御部と、前記起動優先制御情報が前記データ放送及び前記放送マネージドアプリケーションのうちの一方のコンテンツの起動を最優先としている場合、前記放送番組と共に前記一方のコンテンツを前記受信機用出力部に提示し、前記データ放送及び前記放送マネージドアプリケーションのうちの他方のコンテンツを端末連携により前記外部端末に提示する受信機用制御部と、を具備することを特徴とする。
【０００９】
本発明の放送通信連携システムは、上述のデジタル放送受信機と、前記デジタル放送受信機と端末連携を行なう外部端末と、を具備することを特徴とする。
【００１０】
本発明のコンピュータプログラムは、放送番組とデータ放送用のデータと放送マネージドアプリケーションを管理するアプリケーション制御情報と前記データ放送又は前記放送マネージドアプリケーションの起動を最優先とする起動優先制御情報とを含む放送信号を受信するステップと、前記放送番組を出力するステップと、前記起動優先制御情報が前記データ放送及び前記放送マネージドアプリケーションのうちの一方のコンテンツの起動を最優先としている場合、前記放送番組と共に前記一方のコンテンツを前記受信機用出力部に提示するステップと、前記データ放送及び前記放送マネージドアプリケーションのうちの他方のコンテンツを外部端末との端末連携により前記外部端末に提示するするステップと、の各ステップをコンピュータに実行させる。
【発明の効果】
【００１１】
本発明によれば、最優先に指定されていないコンテンツを外部端末に提示することにより、ユーザの視聴機会を逸することをなくすことができる。
【図面の簡単な説明】
【００１２】
【図１】本発明の放送通信連携システムの構成を示す概略ブロック図である。
【図２Ａ】放送番組と連携するものを表した模式図である。
【図２Ｂ】放送マネージドアプリケーションの起動最優先の場合の模式図である。
【図２Ｃ】第１実施形態を説明するための模式図である。
【図２Ｄ】データ放送の起動最優先の場合の模式図である。
【図２Ｅ】第２実施形態を説明するための模式図である。
【図３】第１実施形態の動作を示すフローチャートである。
【図４Ａ】データ転送処理を説明するための模式図である。
【図４Ｂ】データ転送処理を説明するための模式図である。
【図５Ａ】画面転送処理を説明するための模式図である。
【図５Ｂ】画面転送処理を説明するための模式図である。
【図５Ｃ】画面転送処理を説明するための模式図である。
【図５Ｄ】画面転送処理を説明するための模式図である。
【図５Ｅ】画面転送処理を説明するための模式図である。
【図５Ｆ】画面転送処理を説明するための模式図である。
【図６】第２実施形態の動作を示すフローチャートである。
【図７】ＵＲＬ転送処理を説明するための模式図である。
【図８】アプリケーション転送処理を説明するための模式図である。
【発明を実施するための形態】
【００１３】
以下、図面を参照しながら本発明の実施形態について説明する。
【００１４】
図１は、本発明の放送通信連携システムの構成を示す概略ブロック図である。放送通信連携システムは、放送局が放送波により放送サービスを提供するための放送局サーバ１と、サービス事業者がインターネット等の通信ネットワークを介して通信サービスを提供するための通信サーバ３と、利用者に利用されるデジタル放送受信機５及び外部端末６と、を具備している。
【００１５】
外部端末６としてはタブレット端末が例示され、外部端末６はホームネットワーク内でデジタル放送受信機５と接続され、そのデジタル放送受信機５と端末連携（ペアリング）可能である。ホームネットワークによる短距離無線通信技術としては無線ＬＡＮ（Local Area Network）やブルートゥース（Bluetooth（登録商標））などが例示される。
【００１６】
放送局サーバ１は、一般的なデジタル放送用の放送設備（図示しない）を備えたコンピュータである。放送局サーバ１は、コンピュータが実行可能なコンピュータプログラムが格納された記憶装置（図示しない）と、そのコンピュータプログラムを読み出して実行するＣＰＵ（Central Processing Unit）（図示しない）と、を具備している。放送局サーバ１は、放送番組、データ放送、アプリケーション制御情報（Application Information Table：ＡＩＴ）等を多重化した放送信号を生成する。放送局サーバ１は、その放送信号を放送波に変調し、放送用アンテナを介して放送波を送信する。
【００１７】
放送信号は、ＡＲＩＢ（登録商標）（Association of Radio Industries and Broadcast：社団法人電波産業会）標準規格で規定される。デジタル放送によって提供される映像、音声等の各種データは、国際標準規格MPEG-2 Systemsで規定されるＴＳパケット（トランスポートストリームパケット）に格納されて、時分割で多重伝送される。ＴＳパケットには、セクションに対してＰＳＩ（Program Specific Information）／ＳＩ（Service Information）が規定されている。ＰＳＩ／ＳＩは、ＴＳパケットに格納されているデータの種別を示す情報や、コンテンツの種別を示す情報を含んでいる。データの種別を示す情報は、データ放送用のデータとＡＩＴとを伝送するための伝送情報（Program Map Table：ＰＭＴ）を含んでいる。
【００１８】
データ放送は、放送番組と連携するコンテンツである。データ放送向けの記述言語としては、ＢＭＬ（Broadcast Markup Language）文書が使用され、ＢＭＬはＡＲＩＢ（登録商標）により策定されている。ＰＭＴは、データ放送を伝送するコンポーネントに関わるデータ符号化方式記述子のadditional_arib_bxml_info()において、データ放送の起動を最優先とするか否かを指定するための起動優先制御情報を含んでいる。その起動優先制御情報が最優先を示している場合は、データ放送はデジタル放送受信機５により起動される。
【００１９】
ＡＩＴは、放送マネージドアプリケーションを管理するための情報である。放送マネージドアプリケーションは、放送番組と連携する他のコンテンツであり、データ放送とは記述言語等のデータ形式が異なる。放送マネージドアプリケーション向けの記述言語としては、ＨＴＭＬ（Hyper Text Markup Language）文書が使用される。また、ＡＩＴは、放送マネージドアプリケーションを識別するアプリケーションＩＤと、放送マネージドアプリケーションの所在を示す所在情報（Uniform Resource Locator：ＵＲＬ）と、を含んでいる。ＰＭＴは、ＡＩＴを伝送するコンポーネントに関わるデータ符号化方式記述子のait_identifier_info()において、放送マネージドアプリケーションの起動を最優先とするか否かを指定するための起動優先制御情報を含んでいる。その起動優先制御情報が最優先を示している場合は、放送マネージドアプリケーションはデジタル放送受信機５により起動される。
【００２０】
通信サーバ３は、放送局サーバ１の設備と通信可能に接続され、放送マネージドアプリケーションを配信するコンピュータである。通信サーバ３は、コンピュータが実行可能なコンピュータプログラムが格納された記憶装置（図示しない）と、そのコンピュータプログラムを読み出して実行するＣＰＵ（図示しない）と、を具備している。通信サーバ３は、アプリケーション取得要求に応じて、放送マネージドアプリケーションを、通信ネットワークを介して配信する。
【００２１】
デジタル放送受信機５は、チューナ部１１と、放送波受信部１２と、記憶部１３と、受信機用出力部２０と、通信部３１と、受信機用制御部３２と、端末連携制御部３３と、これらを制御するＣＰＵ（図示しない）と、を具備している。通信部３１は、通信ネットワークを介して通信サーバ３と通信を行う通信インタフェースである。端末連携制御部３３は、ホームネットワーク内で通信可能な機器（外部端末６）を発見し、外部端末６と端末連携を行なう。ＣＰＵは、チューナ部１１、放送波受信部１２、記憶部１３、受信機用出力部２０、通信部３１、受信機用制御部３２、端末連携制御部３３に対して制御を行う。記憶部１３にはコンピュータが実行可能なコンピュータプログラムが格納され、ＣＰＵはそのコンピュータプログラムを読み出して実行する。
【００２２】
放送波受信部１２は、チューナ部１１を介して放送局サーバ１から放送されている放送波を受信する。放送波受信部１２は、その放送波を復調し、放送波から放送信号、すなわち、ＴＳパケットを抽出する。放送波受信部１２は、ＴＳパケットのＰＳＩ／ＳＩを参照して、ＴＳパケットに含まれている映像データ及び音声データを受信機用出力部２０に出力する。また、放送波受信部１２は、予め規定されている伝送方法に応じて、ＴＳパケットからＰＭＴやＡＩＴを抽出して記憶部１３に格納する。
【００２３】
受信機用出力部２０は、音声制御部２１と、表示制御部２２と、スピーカ２３と、表示部２４と、を備えている。音声制御部２１は、放送波受信部１２からの音声データを、表示制御部２２により表示制御される映像データと同期をとりながらスピーカ２３に出力する。表示制御部２２は、放送波受信部１２からの映像データを、音声制御部２１により出力制御される音声データと同期をとりながら表示部２４に表示する。
【００２４】
受信機用制御部３２は、放送マネージドアプリケーションを取得するアプリケーションエンジンであるアプリケーション提示機能部３５を備えている。取得された放送マネージドアプリケーションは、そのアプリケーションエンジン上で起動・終了する。受信機用制御部３２は、記憶部１３に格納されたＡＩＴに基づいて、アプリケーション取得要求（デジタル放送受信機５を識別する識別子と、上述のＡＩＴのアプリケーションＩＤ、ＵＲＬと、を少なくとも含む）を、通信部３１を介して通信サーバ３に送信し、通信サーバ３から放送マネージドアプリケーションを取得する。受信機用制御部３２は、その放送マネージドアプリケーションを起動させて受信機用出力部２０に提示する。
【００２５】
受信機用制御部３２は、更に、データ放送を提示するためのデータ放送提示機能部３４を備えている。受信機用制御部３２は、記憶部１３に格納されたＰＭＴに基づいて、データ放送を起動させて受信機用出力部２０に提示する。
【００２６】
外部端末６は、通信部４１と、端末用制御部４２と、端末連携制御部４３と、端末用出力部５０と、これらを制御するＣＰＵ（図示しない）と、記憶部（図示しない）とを具備している。通信部４１は、通信ネットワークを介して通信サーバ３と通信を行う通信インタフェースである。端末連携制御部４３は、ホームネットワーク内で通信可能な機器（デジタル放送受信機５）を発見し、端末連携制御部３３を介して、デジタル放送受信機５と端末連携を行なう。記憶部にはコンピュータが実行可能なコンピュータプログラムが格納され、ＣＰＵはそのコンピュータプログラムを読み出して実行する。
【００２７】
端末用出力部５０は、音声制御部５１と、表示制御部５２と、スピーカ５３と、表示部５４と、を備えている。音声制御部５１は、音声データを、表示制御部５２により表示制御される映像データと同期をとりながらスピーカ５３に出力する。表示制御部５２は、映像データを、音声制御部５１により出力制御される音声データと同期をとりながら表示部５４に表示する。端末用制御部４２は、ユーザにより選択された位置に応じて、外部端末６の各構成要素を制御する。
【００２８】
デジタル放送受信機５において、データ放送を優先して起動させるか、放送マネージドアプリケーションを優先して起動させるかは、ＰＭＴに含まれる起動優先制御情報により決定される。放送波受信部１２は、放送信号に含まれる放送番組の映像データ及び音声データを受信機用出力部２０に出力する。この場合、図２Ａに示されるように、受信機用出力部２０の表示部２４は、放送波受信部１２からの映像データとして放送番組を表す番組画面１０１を表示する。
【００２９】
受信機用制御部３２のデータ放送提示機能部３４は、放送信号に含まれるＰＭＴに基づいて、データ放送を起動させて受信機用出力部２０に提示する。この場合、受信機用出力部２０の表示部２４は、データ放送が起動しているときの映像データを表すデータ放送画面１０２を表示する。ここで、受信機用制御部３２のデータ放送提示機能部３４は、番組画面１０１とデータ放送画面１０２とが同時に表示部２４に表示されるように、受信機用出力部２０の表示制御部２２を制御する。
【００３０】
受信機用制御部３２のアプリケーション提示機能部３５は、放送信号に含まれるＡＩＴに基づいて、通信サーバ３から放送マネージドアプリケーションを取得し、放送マネージドアプリケーションを起動させて受信機用出力部２０に提示する。この場合、受信機用出力部２０の表示部２４は、放送マネージドアプリケーションが起動しているときの映像データを表すアプリケーション画面１０３を表示する。ここで、受信機用制御部３２のアプリケーション提示機能部３５は、番組画面１０１とアプリケーション画面１０３とが同時に表示部２４に表示されるように、受信機用出力部２０の表示制御部２２を制御する。
【００３１】
しかし、図２Ｂに示されるように、ＰＭＴに含まれる起動優先制御情報が放送マネージドアプリケーションの起動を最優先とすることを指定している場合、番組画面１０１と共にアプリケーション画面１０３が表示部２４に表示されるため、ユーザは、データ放送を視聴したくても、放送マネージドアプリケーションの起動が優先されてしまう。そこで、図２Ｃに示されるように、第１実施形態では、ＰＭＴに含まれる起動優先制御情報が放送マネージドアプリケーションの起動を最優先とすることを指定している場合、受信機用制御部３２のアプリケーション提示機能部３５は、放送マネージドアプリケーションを起動させて受信機用出力部２０に提示することにより、番組画面１０１と共にアプリケーション画面１０３が受信機用出力部２０の表示部２４に表示される。同時に、受信機用制御部３２のデータ放送提示機能部３４は、端末連携により、データ放送を外部端末６に提示することにより、データ放送画面１０２が表示部５４に表示される。このように、第１実施形態では、デジタル放送受信機５で提示することができないコンテンツ（データ放送）を外部端末６に提示することにより、ユーザの視聴機会を逸することをなくすことができる。
【００３２】
一方、図２Ｄに示されるように、ＰＭＴに含まれる起動優先制御情報がデータ放送の起動を最優先とすることを指定している場合、ユーザは、番組画面１０１と共にデータ放送画面１０２が表示部２４に表示されるため、放送マネージドアプリケーションを視聴したくても、データ放送の起動が優先されてしまう。そこで、図２Ｅに示されるように、第２実施形態では、ＰＭＴに含まれる起動優先制御情報がデータ放送の起動を最優先とすることを指定している場合、受信機用制御部３２のデータ放送提示機能部３４は、データ放送を起動させて受信機用出力部２０に提示することにより、番組画面１０１と共にデータ放送画面１０２が受信機用出力部２０の表示部２４に表示される。同時に、受信機用制御部３２のアプリケーション提示機能部３５は、端末連携により、放送マネージドアプリケーションを外部端末６に提示することにより、アプリケーション画面１０３が表示部５４に表示される。このように、第２実施形態では、デジタル放送受信機５で提示することができないコンテンツ（放送マネージドアプリケーション）を外部端末６に提示することにより、ユーザの視聴機会を逸することをなくすことができる。
【００３３】
［第１実施形態］
図３は、第１実施形態の動作を示すフローチャートである。
【００３４】
端末連携制御部３３は、ホームネットワーク内で通信可能な外部端末６と端末連携を行なう（Ｓ１）。ユーザが放送番組を視聴するときに、放送波受信部１２は、チューナ部１１を介して放送局サーバ１から放送されている放送波を受信し、その放送波を復調し、放送波からＴＳパケットを抽出する。放送波受信部１２は、ＴＳパケットからＰＭＴやＡＩＴを抽出して記憶部１３に格納する。また、放送波受信部１２は、ＴＳパケットのＰＳＩ／ＳＩを参照して、ＴＳパケットに含まれる映像データ及び音声データを受信機用出力部２０に出力する。この場合、受信機用出力部２０の表示部２４は、放送波受信部１２からの映像データである番組画面１０１を表示する（Ｓ２）。受信機用制御部３２は、記憶部１３に格納されたＰＭＴやＡＩＴを参照して、ＰＭＴに含まれる起動優先制御情報がデータ放送の起動を最優先とすることを指定しているか否かを判定する（Ｓ３）。
【００３５】
ＰＭＴに含まれる起動優先制御情報がデータ放送の起動を最優先とすることを指定している場合（Ｓ４−Ｙｅｓ）、受信機用制御部３２のデータ放送提示機能部３４は、ＰＭＴに基づいて、データ放送を起動させて受信機用出力部２０に提示する。この場合、番組画面１０１と共にデータ放送画面１０２が受信機用出力部２０の表示部２４に表示される。また、ＰＭＴやＡＩＴが更新されて、放送マネージドアプリケーションの起動が最優先とすることを指定される可能性があるため、受信機用制御部３２は、Ｓ３に戻り、定期的に、記憶部１３に格納されるＰＭＴやＡＩＴの監視を行なう。
【００３６】
ＰＭＴに含まれる起動優先制御情報が放送マネージドアプリケーションの起動を最優先とすることを指定している場合（Ｓ４−Ｎｏ）、受信機用制御部３２のアプリケーション提示機能部３５は、ＡＩＴに基づいて、通信サーバ３から放送マネージドアプリケーションを取得し、放送マネージドアプリケーションを起動させて受信機用出力部２０に提示する。この場合、番組画面１０１と共にアプリケーション画面１０３が受信機用出力部２０の表示部２４に表示される。また、受信機用制御部３２のデータ放送提示機能部３４は、端末連携により、端末用制御部４２がデータ放送提示機能部を搭載しているか否かを監視する（Ｓ５）。
【００３７】
端末用制御部４２がデータ放送提示機能部を搭載している場合（Ｓ５−Ｙｅｓ）、受信機用制御部３２のデータ放送提示機能部３４は、データ転送処理を行なう（Ｓ６）。このとき、データ転送処理を開始した旨を表示や音などによりユーザに通知する。このデータ転送処理は、転送終了条件が満たされるまで行なわれる。転送終了条件が満たされない場合（Ｓ７−Ｎｏ）、データ放送において表示の更新がある度に（Ｓ８−Ｙｅｓ）、データ転送処理（Ｓ６）は実行される。
【００３８】
転送終了条件とは、ＰＭＴやＡＩＴが更新されてデジタル放送受信機５でデータ放送の起動が最優先とすることを指定された場合、デジタル放送受信機５において選局された場合、デジタル放送受信機５の電源がオフになった場合、デジタル放送受信機５と外部端末６との通信が切断した場合などが挙げられる。デジタル放送受信機５と外部端末６との通信が切断した場合としては、外部端末６の電源がオフになった場合、ユーザが外部端末６においてデータ放送の提示を終了させた場合なども挙げられる。これらの場合は、デジタル放送受信機５は、ホームネットワーク内で通信可能な機器が発見されなくなるため、外部端末６との通信が切断したことを認識できる。
【００３９】
図４Ａ及び図４Ｂを用いて、データ転送処理（Ｓ６）について説明する。図４Ａに示されるように、ＴＳパケットは、映像データ１１１、音声データ１１２、データ放送用データ１１３、字幕データ１１４を含むデータ列である。受信機用制御部３２のデータ放送提示機能部３４は、そのＴＳパケットのうちのデータ放送用データ１１３を含むデータ列を端末連携により端末用制御部４２に転送する。図４Ｂに示されるように、データ放送用データ１１３は、ＢＭＬ文書と、ＣＳＳ（Cascading Style Sheets）などのスタイルシートと、ＪＰＥＧ（Joint Photographic Experts Group）などの画像データとを含んでいる。端末用制御部４２のデータ放送提示機能部（図示しない）は、データ放送用データ１１３を含むデータ列を受け取り、そのデータ列からＢＭＬ文書、スタイルシート、画像データを参照することにより、データ放送用データ１１３を解析し、データ放送を起動させて端末用出力部５０に提示する。この場合、端末用出力部５０の表示部５４は、データ放送が起動しているときの映像データを表すデータ放送画面１０２を表示する。
【００４０】
受信機用制御部３２のデータ放送提示機能部３４は、データ転送処理（Ｓ６）を実行しているときに、転送終了条件が満たされた場合（Ｓ７−Ｙｅｓ）、上述の転送処理を終了する（Ｓ１２）。このとき、上述の転送処理を終了した旨を表示や音などによりユーザに通知する。ここで、ユーザが放送番組を視聴している場合（Ｓ１３−Ｙｅｓ）、上述のＳ２が実行される。
【００４１】
一方、端末用制御部４２がデータ放送提示機能部を搭載していない場合（Ｓ５−Ｎｏ）、受信機用制御部３２のデータ放送提示機能部３４は、画面転送処理を行なう（Ｓ９）。このとき、画面転送処理を開始した旨を表示や音などによりユーザに通知する。この画面転送処理は、上述の転送終了条件が満たされるまで行なわれる。転送終了条件が満たされない場合（Ｓ１０−Ｎｏ）、データ放送において表示の更新がある度に（Ｓ１１−Ｙｅｓ）、画面転送処理（Ｓ９）は実行される。
【００４２】
図５Ａ〜図５Ｆを用いて、画面転送処理（Ｓ９）について説明する。図５Ａに示されるように、受信機用制御部３２のデータ放送提示機能部３４は、上述のデータ転送処理（Ｓ６）とは異なり、データ放送用データ１１３を含むデータ列を転送するのではなく、端末用出力部５０に提示するための画面を転送する。即ち、データ放送が起動しているときの映像データを表すデータ放送画面１０２を転送する。
【００４３】
まず、図５Ｂに示されるように、受信機用制御部３２のデータ放送提示機能部３４は、そのＴＳパケットのうちのデータ放送用データ１１３を含むデータ列からＢＭＬ文書、スタイルシート、画像データを参照することにより、データ放送用データ１１３を解析し、データ放送を起動させる。このとき、受信機用制御部３２のデータ放送提示機能部３４は、データ放送を端末用出力部５０に提示するための画面の作成として、データ放送画面１０２を構築する。次に、図５Ｃに示されるように、受信機用制御部３２のデータ放送提示機能部３４は、構築されたデータ放送画面１０２を端末連携により端末用制御部４２に転送する。端末用制御部４２は、デジタル放送受信機５により構築されたデータ放送画面１０２を、端末用出力部５０に出力する。この場合、端末用出力部５０の表示部５４は、デジタル放送受信機５により構築されたデータ放送画面１０２を表示する。
【００４４】
図５Ｄに示されるように、データ放送画面１０２は、二次元の座標（ｘ、ｙ）で表され、データ放送画面１０２の左上の位置を最小値（０、０）とし、右下の位置を最大値とする。外部端末６において、ユーザが、表示部５４に表示されたデータ放送画面１０２上の複数の選択欄の中から、例えば「馬の映画」を表す選択欄を選択した場合、端末用制御部４２は、表示部５４上でユーザにより選択された位置を示す選択位置座標（ｘ１、ｙ１）と、上記最大値である全体位置座標と、を含む座標データを端末連携により受信機用制御部３２に送信する。
【００４５】
図５Ｅに示されるように、受信機用制御部３２のデータ放送提示機能部３４は、外部端末６から選択位置座標（ｘ１、ｙ１）と全体位置座標とを含む座標データを受け取り、全体位置座標に対する選択位置座標（ｘ１、ｙ１）と、データ放送用データ１１３を含むデータ列からＢＭＬ文書、スタイルシート、画像データとを参照することにより、データ放送画面１０２上の各選択欄の中から、選択欄「馬の映画」が選択されたことを認識する。更に、受信機用制御部３２のデータ放送提示機能部３４は、そのデータ列からＢＭＬ文書、スタイルシート、画像データを参照することにより、データ放送画面１０２の次の画面の作成として、「馬の映画」に関するデータ放送を端末用出力部５０に提示するためのデータ放送画面１２２を構築する。次に、図５Ｆに示されるように、受信機用制御部３２のデータ放送提示機能部３４は、構築されたデータ放送画面１２２を端末連携により端末用制御部４２に転送する。端末用制御部４２は、デジタル放送受信機５により構築されたデータ放送画面１２２を、端末用出力部５０に出力する。この場合、端末用出力部５０の表示部５４は、デジタル放送受信機５により構築されたデータ放送画面１２２を表示する。
【００４６】
受信機用制御部３２のデータ放送提示機能部３４が画面転送処理（Ｓ９）を実行しているときに、転送終了条件が満たされた場合（Ｓ１０−Ｙｅｓ）、Ｓ１２以降が実行される。
【００４７】
以上の説明により、第１実施形態では、ＰＭＴに含まれる起動優先制御情報が放送マネージドアプリケーションの起動を最優先とすることを指定している場合、デジタル放送受信機５は、放送マネージドアプリケーションを起動させて提示すると共に、端末連携によりデータ放送を外部端末６に提示させる。このように、デジタル放送受信機５で提示することができないコンテンツ（データ放送）を外部端末６に提示することにより、ユーザの視聴機会を逸することをなくすことができる。
【００４８】
［第２実施形態］
図６は、第２実施形態の動作を示すフローチャートである。
【００４９】
端末連携制御部３３は、ホームネットワーク内で通信可能な外部端末６と端末連携を行なう（Ｓ２１）。ユーザが放送番組を視聴するときに、放送波受信部１２は、チューナ部１１を介して放送局サーバ１から放送されている放送波を受信し、その放送波を復調し、放送波からＴＳパケットを抽出する。放送波受信部１２は、ＴＳパケットからＰＭＴやＡＩＴを抽出して記憶部１３に格納する。また、放送波受信部１２は、ＴＳパケットのＰＳＩ／ＳＩを参照して、ＴＳパケットに含まれる映像データ及び音声データを受信機用出力部２０に出力する。この場合、受信機用出力部２０の表示部２４は、放送波受信部１２からの映像データである番組画面１０１を表示する（Ｓ２２）。受信機用制御部３２は、記憶部１３に格納されたＰＭＴやＡＩＴを参照して、ＰＭＴに含まれる起動優先制御情報が放送マネージドアプリケーションの起動を最優先とすることを指定しているか否かを判定する（Ｓ２３）。
【００５０】
ＰＭＴに含まれる起動優先制御情報が放送マネージドアプリケーションの起動を最優先とすることを指定している場合（Ｓ２４−Ｙｅｓ）、受信機用制御部３２のアプリケーション提示機能部３５は、ＡＩＴに基づいて、通信サーバ３から放送マネージドアプリケーションを取得し、放送マネージドアプリケーションを起動させて受信機用出力部２０に提示する。この場合、番組画面１０１と共にアプリケーション画面１０３が受信機用出力部２０の表示部２４に表示される。また、ＰＭＴやＡＩＴが更新されて、データ放送の起動が最優先とすることを指定される可能性があるため、受信機用制御部３２は、Ｓ２３に戻り、定期的に、記憶部１３に格納されるＰＭＴやＡＩＴの監視を行なう。
【００５１】
ＰＭＴに含まれる起動優先制御情報がデータ放送の起動を最優先とすることを指定している場合（Ｓ２４−Ｎｏ）、受信機用制御部３２のデータ放送提示機能部３４は、ＰＭＴに基づいて、データ放送を起動させて受信機用出力部２０に提示する。この場合、番組画面１０１と共にデータ放送画面１０２が受信機用出力部２０の表示部２４に表示される。また、受信機用制御部３２のアプリケーション提示機能部３５は、端末連携により端末用制御部４２がアプリケーション提示機能部を搭載しているか否かを監視する（Ｓ２５）。
【００５２】
端末用制御部４２がアプリケーション提示機能部を搭載している場合（Ｓ２５−Ｙｅｓ）、受信機用制御部３２のアプリケーション提示機能部３５は、端末連携により外部端末６が通信ネットワークに接続されているか否かを監視する（Ｓ２６）。
【００５３】
外部端末６が通信ネットワークに接続されている場合（Ｓ２６−Ｙｅｓ）、受信機用制御部３２のアプリケーション提示機能部３５は、ＵＲＬ転送処理を行なう（Ｓ２７）。このとき、ＵＲＬ転送処理を開始した旨を表示や音などによりユーザに通知する。このＵＲＬ転送処理は、転送終了条件が満たされるまで行なわれる。転送終了条件が満たされない場合（Ｓ２８−Ｎｏ）、データ放送において表示の更新がある度に（Ｓ２９−Ｙｅｓ）、ＵＲＬ転送処理（Ｓ２７）は実行される。
【００５４】
転送終了条件とは、ＰＭＴやＡＩＴが更新されてデジタル放送受信機５で放送マネージドアプリケーションの起動が最優先とすることを指定された場合、デジタル放送受信機５において選局された場合、デジタル放送受信機５の電源がオフになった場合、デジタル放送受信機５と外部端末６との通信が切断した場合などが挙げられる。
【００５５】
図７を用いて、ＵＲＬ転送処理（Ｓ２７）について説明する。受信機用制御部３２のアプリケーション提示機能部３５は、記憶部１３に格納されたＡＩＴから、アプリケーションＩＤ、ＵＲＬなどの情報を取得することができる。そのため、これらの情報を端末連携により端末用制御部４２に転送する。外部端末６において、端末用制御部４２のアプリケーション提示機能部（図示しない）は、アプリケーション取得要求（外部端末６を識別する識別子と、上述のＡＩＴのアプリケーションＩＤ、ＵＲＬと、を少なくとも含む）を、通信部４１を介して通信サーバ３に送信し、通信サーバ３から放送マネージドアプリケーションを取得する。端末用制御部４２のアプリケーション提示機能部は、その放送マネージドアプリケーションを起動させて端末用出力部５０に提示する。この場合、アプリケーション画面１０３が端末用出力部５０の表示部５４に表示される。
【００５６】
受信機用制御部３２のアプリケーション提示機能部３５は、ＵＲＬ転送処理（Ｓ２７）を実行しているときに、転送終了条件が満たされた場合（Ｓ２８−Ｙｅｓ）、上述の転送処理を終了する（Ｓ３６）。このとき、上述の転送処理を終了した旨を表示や音などによりユーザに通知する。ここで、ユーザが放送番組を視聴している場合（Ｓ３７−Ｙｅｓ）、上述のＳ２２が実行される。
【００５７】
外部端末６が通信ネットワークに接続されていない場合（Ｓ２６−Ｎｏ）、受信機用制御部３２のアプリケーション提示機能部３５は、アプリケーション転送処理を行なう（Ｓ３０）。このとき、アプリケーション転送処理を開始した旨を表示や音などによりユーザに通知する。このアプリケーション転送処理は、転送終了条件が満たされるまで行なわれる。転送終了条件が満たされない場合（Ｓ３１−Ｎｏ）、放送マネージドアプリケーションの表示の更新がある度に（Ｓ３２−Ｙｅｓ）、アプリケーション転送処理（Ｓ３０）は実行される。
【００５８】
図８を用いて、アプリケーション転送処理（Ｓ３０）について説明する。受信機用制御部３２のアプリケーション提示機能部３５は、記憶部１３に格納されたＡＩＴに基づいて、アプリケーション取得要求（デジタル放送受信機５を識別する識別子と、上述のＡＩＴのアプリケーションＩＤ、ＵＲＬと、を少なくとも含む）を、通信部３１を介して通信サーバ３に送信し、通信サーバ３から放送マネージドアプリケーションを取得する。受信機用制御部３２のアプリケーション提示機能部３５は、取得した放送マネージドアプリケーションを端末連携により端末用制御部４２に転送する。外部端末６において、端末用制御部４２のアプリケーション提示機能部（図示しない）は、その放送マネージドアプリケーションを起動させて端末用出力部５０に提示する。この場合、アプリケーション画面１０３が端末用出力部５０の表示部５４に表示される。
【００５９】
受信機用制御部３２のアプリケーション提示機能部３５がアプリケーション転送処理（Ｓ３０）を実行しているときに、転送終了条件が満たされた場合（Ｓ３１−Ｙｅｓ）、Ｓ３６以降が実行される。
【００６０】
一方、端末用制御部４２がアプリケーション提示機能部を搭載していない場合（Ｓ２５−Ｎｏ）、受信機用制御部３２のアプリケーション提示機能部３５は、画面転送処理を行なう（Ｓ３３）。このとき、画面転送処理を開始した旨を表示や音などによりユーザに通知する。この画面転送処理は、転送終了条件が満たされるまで行なわれる。転送終了条件が満たされない場合（Ｓ３４−Ｎｏ）、放送マネージドアプリケーションにおいて表示の更新がある度に（Ｓ３５−Ｙｅｓ）、画面転送処理（Ｓ３３）は実行される。
【００６１】
画面転送処理（Ｓ３３）については、図５Ｂ〜図５Ｆに示されるＢＭＬ文書、データ放送画面１０２（１２２）をそれぞれＨＴＭＬ文書、アプリケーション画面１０３に変更すれば、前述の画面転送処理（Ｓ９）と同一であるため、説明を省略する。受信機用制御部３２のアプリケーション提示機能部３５が画面転送処理（Ｓ３３）を実行しているときに、転送終了条件が満たされた場合（Ｓ３４−Ｙｅｓ）、Ｓ３６以降が実行される。
【００６２】
以上の説明により、第２実施形態では、ＰＭＴに含まれる起動優先制御情報がデータ放送の起動を最優先とすることを指定している場合、デジタル放送受信機５は、データ放送を起動させて提示すると共に、端末連携により放送マネージドアプリケーションを外部端末６に提示させる。このように、デジタル放送受信機５で提示することができないコンテンツ（放送マネージドアプリケーション）を外部端末６に提示することにより、ユーザの視聴機会を逸することをなくすことができる。
【００６３】
なお、本発明において、デジタル放送受信機５は、全ての外部端末６に対して上述の転送処理を実行してもよい。データ放送受信機能を有していない外部端末６が２台以上存在する場合は、その中から１台だけユーザが選択しておき、デジタル放送受信機５に予め設定しておく。また、デジタル放送受信機５は、全ての外部端末６に対してＣＰＵの使用状況を問い合わせ、その中からＣＰＵの使用率が一番低い外部端末６に対して上述の転送処理を実行してもよい。また、ユーザが全ての外部端末６の表示部５４の画面サイズをデジタル放送受信機５に予め設定しておき、デジタル放送受信機５は、その中から最も画面サイズが大きい外部端末６に対して上述の転送処理を実行してもよい。
【００６４】
以上、本発明について詳述してきたが、具体的な構成は実施形態に限られるものではなく、この発明の要旨を逸脱しない範囲の設計等も特許請求の範囲に含まれる。
【符号の説明】
【００６５】
５…デジタル放送受信機、６…外部端末、１２…放送波受信部、２０…受信機用出力部、３２…受信機用制御部、３３…端末連携制御部
【図１】
2015046747.tif 000003
【図２Ａ】
2015046747.tif 000004
【図２Ｂ】
2015046747.tif 000005
【図２Ｃ】
2015046747.tif 000006
【図２Ｄ】
2015046747.tif 000007
【図２Ｅ】
2015046747.tif 000008
【図３】
2015046747.tif 000009
【図４Ａ】
2015046747.tif 000010
【図４Ｂ】
2015046747.tif 000011
【図５Ａ】
2015046747.tif 000012
【図５Ｂ】
2015046747.tif 000013
【図５Ｃ】
2015046747.tif 000014
【図５Ｄ】
2015046747.tif 000015
【図５Ｅ】
2015046747.tif 000016
【図５Ｆ】
2015046747.tif 000017
【図６】
2015046747.tif 000018
【図７】
2015046747.tif 000019
【図８】
2015046747.tif 000020